(57)【要約】      （修正有）【課題】割れが発生することなく安価に、大量に創ることができる乾燥した芯持ち間伐材を提供する。【解決手段】一本の生間伐材を２枚の半割り材２、３に製材し、ビニールハウス内などで人工乾燥する。乾燥で変形した両製材面が密着するように、切削して平滑にし、平滑にした両面２−６、３−６を接着剤７で接着する。外観が製材前の生間伐材とほとんど変わらない乾燥した間伐材ができる。【選択図】図３
0003199720.tif 000002
【実用新案登録請求の範囲】
【請求項１】
所定の径の  芯持ち生間伐材を
２本の半割り材に製材して、乾燥し、
２本の半割り材の両製材面が密着するように、切削し、平滑にし、
平滑にした製材面に接着剤を塗布し、接着する、
ことを特徴とする乾燥した芯持ち間伐材。
【請求項２】
芯持ち生間伐材を所定の寸法の正角・平角・八角・円形等に製材し、さらに半割り製材した［請求項１］に記載した乾燥した芯持ち間伐材。
【請求項３】
芯持ち生間伐材を、所定の径のロータリー丸太に製材し、ロータリー丸太を半割り製材した［請求項１〜２］に記載した乾燥した芯持ち間伐材。
【請求項４】
大径の芯持ち生間伐材を
複数の、乾燥に適当な厚さに製材し、乾燥し
各製材面が密着するように切削し、平滑にし
平滑にした各製材面に接着剤を塗布し、
製材前の大径の芯持ち生間伐材が再現するように
各製材面を合わせて接着する
ことを特徴とする乾燥した大径の芯持ち間伐材。
【考案の詳細な説明】
【技術分野】
【０００１】  本考案は、乾燥した芯持ち間伐材  に関するものである。
【背景技術】
【０００２】  木の苗を植林する、間伐する、成長した木を販売する、跡地にまた植林する。この１サイクルが数十年〜数百年、この繰り返しで森林は持続する。
大きく成長するように選別された木は、伐採・運搬・製材され、更に人工乾燥して建造物などの主要部材に利用される。
間伐材になるように選別された木は、数年毎に間伐される。何十年もの間には、間伐材になる木も成長するから、最初の間伐材の径は数ｃｍであるが、成長とともに５，１０、１５，２０  ｃｍとなる。径２５〜３０ｃｍともなればある程度の需要も期待できるが、早くに選別されて間伐材になった木は、まだ細く需要が低迷している。採算がとれないから伐採しない、また伐採したまま放置する。放置された間伐材は地面に横たわり太陽の光を遮り、下草が生えることを妨げ、土地が痩せて山林の環境は益々わるくなる。
しかし間伐しなければ健全な森林は育たない。
【先行技術文献】
【０００３】
0003199720.tif 000003
【非特許文献１】木材乾燥の基礎知識「先人に聞く」住まい作りの情報サイトｅ−ｈｏｕｓｅ
【非特許文献２】長野県林業総合センター・山仕事創造舎  ビニールハウス乾燥実施マニュアアル。  その他多数
【考案の概要】
【考案が解決しようとする課題】
【０００４】  近年は生間伐材を，杭や、ロータリー丸太などに加工して、利用しているが、それぐらいでは需要が増加しない。需要がないから間伐材が捨てられている。天然乾燥した生間伐材は、乾燥にともない大小の割れが生じる、その割れも用途を大きく制限している。人工乾燥すれば割れは少なくなり用途は広がるが、高価になり、ますます需要が伸びない。
間伐材を廃材などと一緒にして熱エネルギーとして燃やすことが大勢となっているが、間伐材でも何十年もの間、成長した木材である。間伐材を燃やすだけではなく木材としてもっと有効に利用したい。【０００５】［特許文献１］は「自分の体重を利用するマッサージ器」である。
［特許文献１］によれば  このマッサージ器の材料は木材・人工木材・樹脂・陶器・金属でもよいが、肌に触れるものであるから、中でも杉材は熱伝導率が小さく、冷たくない、木の温もりがある、として杉材の利用をすすめている。普通の杉材でもよいが、特に生間伐材の有効利用の観点から、芯持ち生間伐材の使用をすすめている。
［特許文献２］によれば、マッサージ器を日本に意匠登録し、
［特許文献３］によれば、マッサージ器の意匠をＥＵ・中国・米国に意匠登録している。これらから、［特許文献１］のマッサージ器は、最大限を言えば、国別に有効年数の長短はあるが，今後１０年から２５年間、日本で製造して、約２３億人へ独占的に販売できることになる。膨大な数量の間伐材が必要である。【０００６】需要が少なく捨てられている生間伐材から、このマッサージ器を創りたい。
木工旋盤での切削、仕上げ等の作業も、手数はかかるが習熟可能な作業である。
マッサージ器の大きさは、径約１０ｃｍ前後、長さ約３０ｃｍ前後であり、原材料である生間伐材の末口径は約１５ｃｍ程度で長さ２〜４ｍ程度になる。【０００７】生間伐材でこのマッサージ器をつくれば、乾燥するにつれて、小さなひび割れとともに大きな割れ〈幅５〜１０ｍｍ、長さ全長３０ｃｍ、深さ半径位〉が生じることも多々ある。小さなひび割れはよしとしても、大きな割れは見栄えが悪い、割れが拡大してマッサージ器が二つに割れてしまうのではないか、などの誤解もあるほどである。
生間伐材を乾燥しても割れることのない、乾燥した間伐材を創りたい。
生間伐材を安価に大量に乾燥して、マッサージ器を大量に創りたい。【０００８】木材の乾燥方式には低温法・高温法・高周波法などがある。１回の乾燥できる容量も大小ある。普及している高温法の乾燥設備は、高級な部材や建築の主要部材をつくるための高度な設備である。一式数千万円という、簡単には設備できい。さらに燃料費・人件費など運転経費も高額。そのうえこの高価な設備を効率よく利用するには、大量の木材を集めて、連続して乾燥し、できるだけ高価に売らなければ採算がとれない。このような大規模な高級な乾燥設備は大きな製材所・土場などに併設されることが多く、従って数がすくない。【０００９】  木材の乾燥について、簡単に言えば、木材を空気中に放置すると、まず自由水が蒸発し、これが蒸発してしまったのちに結合水が蒸発し始めます。この時点を繊維飽和点（含水率約３０％）と呼びます。
この繊維飽和点までは大きな変化はないが、この含水率以下に乾燥するにつれて、木材の強度・寸法・割れ・曲り・ねじれなど変化がおこります。更に放置すると、結合水はさらに蒸発を続けて、周囲の温度・湿度によって一定の水分状態になる、このときの含水率を平衡含水率と呼び、日本ではほぼ１５％前後としています。
残りの結合水を蒸発させるためには強制的に温度を上げれば、最終的には含水率０％の状態になります。【００１０】  木材を空気中に放置すると、木材の表面は乾燥につれて収縮しようとするが、内部は未だ水分が多くて収縮することができずに表面の収縮しようとする力に抵抗している。このとき、材の厚さが比較的薄いときは、表面の収縮する力が大きく材が変形するが、材の厚さが大きくなると、表面付近の力と内部の力で大きな差が生じて破壊が起こり、材の部分的な割れ。曲り、ねじれとなります。乾燥するときに、このような材の表面と内部の水分の違いをなくするようにすれば、割れ、曲がり、ねじれ等はかなり改善することが可能になります。【００１１】  このマッサージ器を創るに適当な芯持ち生間伐材（末口径約１１〜１４ｃｍ、製材前の直径は、平均約１５ｃｍ程度と考える）も空気中に放置すると、材の厚さが大きいから、上記のように、含水状態の差により表面付近の力と内部の力で大きな差が生じて破壊が起こり、材の部分的な割れ。曲り、ねじれとなります。これで芯持ち生間伐材の用途は大きく制限されます。【００１２】  木材・木製品に関する含水率の基準・規定はいろいろな機関から示されているが、住宅用に使用される製材品は「針葉樹の構造用の製材の日本農林規格（ＪＡＳ）」で使用される部材により明確に規定されている。また各種の建築仕様書にも規定があります。
本考案のマッサージ器に必要な乾燥の程度は、用途からして、上記既定の含水率２０〜２５％程度で十分のように考えます。
［非特許文献１］［非特許文献２］によれば、太陽熱利用のビニールハウスによる木材乾燥日数は、初期含水率など種々の条件で変化するが、杉板材の厚さ３５ｍｍ×幅１２０ｍｍ×長さ２２００ｍｍの場合、１５日間で含水率約２７％、２０日間で約１８％、３０日間で約１３％、である。【００１３】  本考案のマッサージ器を創る生間伐材の製材前の直径は、平均約１５ｃｍ程度と考えれば、これを製材して２本の半割りにしたかまぼこ型の断面は、底辺が約１５ｃｍ、厚さは半径で約７．５ｃｍ、である。
前述のように、製材前の芯持ち生間伐材は、円形であるから水分の蒸発は表面からだけである。直径が１５ｃｍと板材と違って厚く大きいから、表面と内部との含水状態の差により、表面付近の力と内部の力で大きな差が生じて破壊が起こり、材の部分的な割れ、曲り、ねじれとなります。円形の芯持ち生間伐材を天然乾燥すれば、必ずと言っていいほど割れが生じます。
製材後の半割りした芯持ち生間伐材は、断面がかまぼこ型である。底面は、生間伐材の中心部を縦断して空気中に露出していて、芯材・辺材などの内部からの水分の蒸発が自由にできる。かまぼこ形の半円部も空気中に露出している。このように半割りした生間伐材では底面からも半円からも水分が自由に蒸発できる。
これは製材前の円形の芯持ち生間伐材ではできないことである。
また半円部では厚さが半径の約７．５ｃｍであるが、水分の蒸発は底面と半円部表面とから同時に始まる。計算上は、かまぼこ型の半円部で表面から３，５ｃｍの円を描けば残るは半径３．５ｃｍの芯部だけであるが、これも半円部と同様に底部から乾燥する３．５ｃｍの内に含まれることになる。
この半割り材の厚さは実質半分の３．５ｃｍ程度とも考えられる。半割り材にしたことで上記の板材の乾燥と大差はなくなる。【００１４】  かまぼこ形の生間伐材の乾燥状態を、円形の生間伐材と比較すれば、上記のように含水状態の差が小さいから部分的な割れ、曲り、ねじれ大いに少なくなる。さらに材が薄いから乾燥日数が少なくなる。乾燥が不十分ならば乾燥日数を増やすことで、乾燥による変形は両製材面を切削し平滑にすることで対応できる。【００１５】  このマッサージ器には乾燥の程度の規定はないが、［非特許文献１］と［非特許文献２］を総合すれば、建築の主要部材をつくるようなＤ１５〜２０のような高度な乾燥は必要ない。Ｄ２０〜２５の低度に乾燥した間伐材で十分と考える。【００１６】  以上から本案のマッサージ器用の芯持ち生間伐材を安価に乾燥するには
所定の径の生間伐材を２本の半割り材に製材し、
ビニールハウスや太陽熱などを利用して乾燥し、
乾燥で変形した２本の半割り材の両製材面が密着するように、切削し、平滑にして、
平滑にした製材面に接着剤を塗布し、２本の半割り材を合わせて接着すれば、
乾燥した芯持ち間伐材ができる。
さらに、この乾燥した芯持ち間伐材の製造作業場を各地の間伐材伐採現場に近い村々に設ければ、大量の乾燥した間伐材ができる。
この乾燥した間伐材を加工してマッサージ器をつくる。
この低度に乾燥した間伐材は、高価な乾燥設備が無くても、安価に、大量に生産できる。
【課題を解決しようとする手段】
【００１７】図によって説明する
図１  所定の径〈平均約１５ｃｍ〉で長さ２〜４ｍ程度の生間伐材１を、
図２  半割に製材して、かまぼこ形の生間伐材２，３をつくる。半割に製材した２つの平      面を２−４、３−４とする。
生間伐材１の木目模様５は半割にしたことで分断されるが、工程の後半で、半割り間伐材２，３を接着して１本の間伐材にする。そのとき半割り間伐材２，３がバラバラに分かれてしまい、製材前の木目模様５が再現できくなることを防止するため、適当な器具で連結する、または目印をつける。
【００１８】  あらかじめ設置した、例えば太陽熱などを利用したビニールハウス内などに、
半割にした生間伐材２，３の適当な量を、通風できる間隔を開けて積み重ね、温度・湿度などを管理しながら、数週間、乾燥を続ける。
【００１９】  乾燥に伴い，半割り間伐材２，３の形も、平面であった半割り面２−４、３−４も少し変形する。その変形の度合いは、半割り間伐材ごとに含水率・赤身・白身・節の有無から生じるので、凹凸の形・割れ・反り・ねじれ・などは予測困難である。
【００２０】この時点で、変形の程度に応じて対応する、
１  変形の度合いが少なくて、半割り面２−４，３−４が、簡単に切削して密着する程      度の変形ならば、切削して平滑な面２−６，３−６にする。
２  変形の度合いが多くて、簡単には切削しても密着できない程度の変形ならば１ｍ程      度で切断する、変形の程度によってはマッサージ器加工用に長さ約３０ｃｍに切断      してもよい。長さ２〜４ｍでの反り・ねじれがあっても、長さ３０ｃｍ程度では反      り・ねじれの量は少なくなる。変形により長さを短くした半割り面２−４，３−４      、を切削して平滑な面２−６，３−６にする。
【００２１】  図３  平滑にした面２−６、３−６に接着剤７を塗布し、・年輪・木目模様５を合わせながら接着する。
図４は乾燥した間伐材９の外観である。
【００２２】  完成した乾燥した間伐材９の外観は、生間伐材と比較しても、見た目には殆ど変らない。が実際は、半割りしたときの鋸の厚さと、平滑な面にしたときに削った厚さの分だけ、幅または高さが小さくなっている。また間伐材の年輪模様５の中に、２枚の半割り材を接着した線８が残る。さらに間伐材の表面の木目模様５のなかにも、２枚の半割り材を接着した線８が残る。
できた間伐材は、生間伐材１ではなく、簡易な製材設備と乾燥設備で加工した、長短はあるが乾燥した間伐材９である。
【考案の効果】
【００２３】  国有林も民有林も、全国に点在する大小さまざまな村々の周囲にある。
高度な木材乾燥設備は、交通が便利な、その村々の小さな土場・製材所が数か所集合したような、もっと大規模な土場に製材所とともに併設されることが多い。建設費が高価で、大量の木材を集荷して、連続して乾燥し、稼働率を上げなければ採算がとれない。村々からは遠く、少量の間伐材では乾燥してもらえるどうか、などなど心配しながら、更に小量の間伐材では乾燥費用も輸送費も割高になる。細い生間伐材は付加価値も少ないままで需要が低迷している。村人の森林に掛ける意欲も、低迷したままである。
全国にあるそのような村々に住む個々の山林所有者達に高価な設備や高度な技術はない。しかし何代もの間に山林を維持してきた仲間と、使用人と、道具と、技術と、器用さと、さらに難題を乗り越える団結力をもっている。
【００２４】  様々な理由で間伐材の手入れが届かない全国の村々で、村の小土場・小製材所の近辺に、簡易な製材機・乾燥用ビニールハウス・などが設備できれば、本考案が提案するように、地元の生間伐材から乾燥した間伐材が創れる。
【００２５】  本考案の、この簡単な技術と工程で、乾燥時間は長いが、大量に、安価に、確実に、乾燥した間伐材を創ることができる。他樹種の間伐材も、同様に乾燥できる。
この円形の乾燥した間伐材から更に製材して、マッサージ器用に外形を１２ｃｍの正角材・正８角材・円形などに加工し、更に長さは３０ｃｍ前後に切断する。乾燥しているから割れが少ない、塗装など仕上工程も選択肢が広がる。
またマッサージ器用以外に直径２０ｃｍ程度の乾燥した間伐材も大量にできる。接着剤の性能の進歩と相まって建築資材にも利用可能になる。
また他の木工品の制作など、新たな需要を開拓できる。
【００２６】  地元には、ここまで成長した生間伐材の原木の価格と、乾燥した間伐材を創る工賃と、マッサージ器を創る工賃と、マッサージ器を全国に販売した利益が残ります。更に雇用が増加します。地域にお金が回ります。
【図面の簡単な説明】
【００２７】
【図１】  製材前の生間伐材
【図２】  ２本に半割りした間伐材
【図３】  平滑にした両製材面に接着剤を塗布し接着する
【図４】  乾燥した間伐材の外観
【考案を実施するための形態】
【００２８】１  ［請求項１］で生間伐材を伐採するときに、
マッサージ器の加工用に、末口平均１５ｃｍ×長さ２〜４ｍの生間伐材だけを伐採する、などと都合よくは伐採できない。径の大小様々な間伐材が伐採されることになる。
現時点では、製品のマッサージ器の径は９〜１２ｃｍと考えるから、それに近い間伐材は余裕をみて末口径約１１〜１４ｃｍ（平均で約１５ｃｍ）とする。
もとより厳密なものではなく、製品の径や形に近い製材量の少ない間伐材を所定の径または寸法とし、以上の径の材を大径と称する。
２  ［請求項２］
伐採された大小様々な径の生間伐材のなかで、［請求項１］の所定の径の芯持ち材が除かれて径が大きい生間伐材が残る。これは半割り材にしても材が厚くなり、割れ・ねじれ・乾燥日数の増加などにつながるから、芯持ち生間伐材として所定の径又は寸法に製材する。外形は平角・正角・八角・円形でもよい。また芯去り材も発生するから、それもまた所定の寸法に製材する。
以下、半割り製材・乾燥・切削・接着は［請求項１］と同じ。
３  ［請求項３］
ロータリー丸太製造設備があるときは、
最初から生間伐材をマッサージ器の径より少し大きい径のロータリー丸太に製材し、次にロータリー丸太を半割りに製材する。以下乾燥・切削・接着は［請求項１］と同じ。
ロータリー丸太に切削することで、製材前の生間伐材は直径が小さく、末口も元口も同じ径の丸太になり、生間伐材の体積が減少し。半割りでさらに材厚が薄くなる。これは乾燥する間伐材の体積が減少することであり乾燥日数が短くなるとともに乾燥後の割れ・ねじれなどの障害が少なくなる。以下、半割り製材・乾燥・切削・接着は［請求項１］と同じ。
さらにマッサージ器に加工する直前の円筒形であるから、木工旋盤での切削量も減少して、加工が容易になる。
【符号の説明】
【００２９】１        芯持ち生間伐材
２        ２本に半割りした間伐材
３          〃
２−４    半割りした製材面
３−４    〃
５        木目模様または年輪模様
２−６    半割りした製材面２−４を平滑にした製材面
３−６      〃            ３−４    〃
７        接着剤
８        間伐材の表面に残った接着剤の線
９        乾燥した芯持ち間伐材
【図１】
0003199720.tif 000004
【図２】
0003199720.tif 000005
【図３】
0003199720.tif 000006
【図４】
0003199720.tif 000007
【手続補正書】
【提出日】平成27年6月17日(2015.6.17)
【手続補正１】
【補正対象書類名】実用新案登録請求の範囲
【補正対象項目名】全文
【補正方法】変更
【補正の内容】
【実用新案登録請求の範囲】
【請求項１】
所定の径の  芯持ち生間伐材を
２本の半割り材に製材して、乾燥し、
２本の半割り材の両製材面が密着するように、切削し、平滑にし、
平滑にした製材面に接着剤を塗布し、接着する、
ことを特徴とするマッサージ器を制作するための乾燥した芯持ち間伐材。
【請求項２】
芯持ち生間伐材を所定の寸法の正角・平角・八角・円形等に製材し、さらに半割り製材した請求項１に記載した乾燥した芯持ち間伐材。
【請求項３】
芯持ち生間伐材を、所定の径のロータリー丸太に製材し、ロータリー丸太を半割り製材した請求項１または２に記載した乾燥した芯持ち間伐材。
【請求項４】
大径の芯持ち生間伐材を
複数の、乾燥に適当な厚さに製材し、乾燥し
各製材面が密着するように切削し、平滑にし
平滑にした各製材面に接着剤を塗布し、
製材前の大径の芯持ち生間伐材が再現するように
各製材面を合わせて接着する
ことを特徴とする乾燥した大径の芯持ち間伐材。